【手続補正書】
【提出日】平成19年2月23日(2007.2.23)
【手続補正１】
【補正対象書類名】特許請求の範囲
【補正対象項目名】全文
【補正方法】変更
【補正の内容】
【特許請求の範囲】
【請求項１】
同一の仮想ネットワークアドレスで構成された複数の印刷装置のうち第１の印刷装置で、前記仮想ネットワークアドレスに宛てた印刷ジョブ要求を受信するステップと、
前記第１の印刷装置により、前記印刷ジョブ要求を前記複数の印刷装置のうちの一の印刷装置に送信するステップと
を含む、印刷する方法。
【請求項２】
請求項１に記載の方法であって、
前記第１の印刷装置により前記印刷ジョブ要求が送信される前記一の印刷装置を決定するステップをさらに含む方法。
【請求項３】
請求項２に記載の方法であって、
前記決定するステップは、前記複数の印刷装置の一以上の印刷装置に関連する属性情報に基づく方法。
【請求項４】
請求項１に記載の方法であって、
前記第１の印刷装置において、前記複数の印刷装置の一以上の印刷装置に関連する属性情報を維持するステップをさらに含む方法。
【請求項５】
請求項１に記載の方法であって、
前記第１の印刷装置において、前記複数の印刷装置のうちの前記第１の印刷装置のみに関連するネットワークアドレスであって前記仮想ネットワークアドレスとは異なるアドレスに宛てられた、第２の印刷ジョブ要求を受信するステップと、
前記第２の印刷ジョブ要求を処理するステップと
をさらに含む方法。
【請求項６】
請求項１に記載の方法であって、
前記仮想アドレスにある前記第１の印刷装置により、前記複数の印刷装置のうち一の印刷装置の登録を受信するステップを含む方法。
【請求項７】
請求項６に記載の方法であって、
前記登録は前記一の印刷装置に関連する属性情報を含み、
前記方法は、前記複数の印刷装置のうち一以上の印刷装置に前記属性情報をブロードキャストするステップをさらに含み、前記属性情報は前記一以上の印刷装置に記憶される方法。
【請求項８】
請求項１に記載の方法であって、
前記一の印刷装置は前記第１の印刷装置である方法。
【請求項９】
請求項１に記載の方法であって、
前記複数の印刷装置のうち一の印刷装置によって、前記仮想ネットワークアドレスに信号を送信するステップと、
前記信号がアクノレッジされたとき、前記一の印刷装置がスレーブ印刷装置としての役割を引き受けるステップと、
前記信号がアクノレッジされず、前記ネットワークにおいて前記複数の印刷装置の一以上の印刷装置がアクティブのとき、前記複数の印刷装置のうちいずれが前記第１の印刷装置の役割を引き受けるかを決定するため、前記一以上の印刷装置とネゴシエートするステップと、
前記信号がアクノレッジされず、前記ネットワークにおいて前記複数の印刷装置のうち他の印刷装置がどれもアクティブでないとき、前記マスタ印刷装置としての役割を引き受けるステップと
をさらに含む方法。
【請求項１０】
請求項９に記載の方法であって、
前記ネゴシエーションに基づき、前記一の印刷装置が前記第１の印刷装置としての役割を引き受けるステップをさらに含む方法。
【請求項１１】
２以上の印刷装置のネットワークを管理する方法であって、
前記印刷装置のネットワークの一の印刷装置が、前記印刷装置のネットワークに関連する仮想ネットワークアドレスに信号を送信するステップと、
前記信号がアクノレッジされたとき、前記一の印刷装置がスレーブ印刷装置としての役割を引き受けるステップと、
前記信号がアクノレッジされず、前記ネットワークにおいて前記印刷装置のネットワークの一以上の印刷装置がアクティブのとき、前記複数の印刷装置のうちいずれがマスタ印刷装置の役割を引き受けるかを決定するため、前記一以上の印刷装置とネゴシエーションするステップと、
前記信号がアクノレッジされず、前記ネットワークにおいて前記印刷装置のネットワークのうち他の印刷装置がどれもアクティブでないとき、前記マスタ印刷装置としての役割を引き受けるステップと
をさらに含む方法。
【請求項１２】
請求項１１に記載の方法であって、前記一の印刷装置がスレーブ印刷装置としての役割を引き受けるとき、前記マスタ印刷装置を登録するステップをさらに含む方法。
【請求項１３】
請求項１２に記載の方法であって、
前記登録は前記一の印刷装置に関連する属性情報の登録を含み、
前記方法は、前記マスタ印刷装置により、前記印刷装置のネットワークの一以上の印刷装置に前記属性をブロードキャストするステップをさらに含む方法。
【請求項１４】
請求項１２に記載の方法であって、
前記一の印刷装置において、前記印刷装置のネットワークの前記一の印刷装置のみに関連するネットワークアドレスに宛てられた印刷ジョブ要求を受信するステップと、
前記一の印刷装置において、前記印刷ジョブ要求を処理するステップと
をさらに含む方法。
【請求項１５】
請求項１１に記載の方法であって、
前記一の印刷装置が前記マスタ印刷装置の役割を引き受けると決定したとき、前記一の印刷装置が前記仮想ネットワークアドレスを前記一の印刷装置のネットワークインターフェイスに結合するステップをさらに含む方法。
【請求項１６】
請求項１５に記載の方法であって、
前記一の印刷装置において、前記印刷装置のネットワークの前記一の印刷装置のみに関連するネットワークアドレスに宛てられた第１の印刷ジョブ要求を受信するステップと、
前記一の印刷装置において、前記第１の印刷ジョブ要求を処理するステップと
をさらに含む方法。
【請求項１７】
請求項１６に記載の方法であって、
前記一の印刷装置において、前記仮想ネットワークアドレスに宛てられた第２の印刷ジョブ要求を受信するステップと、
前記一の印刷装置が、前記印刷装置のネットワークのいずれの印刷装置にも前記第２の印刷ジョブ要求を送信するステップと
をさらに含む方法。
【請求項１８】
請求項１５に記載の方法であって、
前記一の印刷装置において、前記仮想ネットワークアドレスに当てられた印刷ジョブ要求を受信するステップと、
前記一の印刷装置が、前記印刷装置のネットワークのうち一の印刷装置に前記印刷ジョブ要求を送信するステップと
をさらに含む方法。
【請求項１９】
請求項１８に記載の方法であって、
前記一の印刷装置が、前記印刷ジョブ要求が送信された前記一の印刷装置を決定するステップをさらに含む方法。
【請求項２０】
請求項１１に記載の方法であって、
前記マスタ印刷装置が、前記マスタ印刷装置のネットワークインターフェイスに前記仮想ネットワークアドレスを結合するステップをさらに含む方法。
【請求項２１】
印刷命令の一以上のシーケンスを格納するコンピュータ読み取り可能な媒体であって、一以上のプロセッサにより前記印刷命令の一以上のシーケンスを実行することにより、前記一以上のプロセッサは：
同一の仮想ネットワークアドレスで構成された複数の印刷装置のうち第１の印刷装置で、前記仮想ネットワークアドレスに宛てた印刷ジョブ要求を受信するステップと、
前記第１の印刷装置により、前記印刷ジョブ要求を前記複数の印刷装置のうちの一の印刷装置に送信するステップと
を実行する、媒体。
【請求項２２】
請求項１に記載のコンピュータ読み取り可能な媒体であって、前記命令は前記プロセッサに、
前記複数の印刷装置のうち一の印刷装置によって、前記仮想ネットワークアドレスに信号を送信するステップと、
前記信号がアクノレッジされたとき、前記一の印刷装置がスレーブ印刷装置としての役割を引き受けるステップと、
前記信号がアクノレッジされず、前記ネットワークにおいて前記複数の印刷装置の一以上の印刷装置がアクティブのとき、前記複数の印刷装置のうちいずれが前記第１の印刷装置の役割を引き受けるかを決定するため、前記一以上の印刷装置とネゴシエートするステップと、
前記信号がアクノレッジされず、前記ネットワークにおいて前記複数の印刷装置のうち他の印刷装置がどれもアクティブでないとき、前記マスタ印刷装置としての役割を引き受けるステップと
を実行させる媒体。
【請求項２３】
２以上の印刷装置のネットワークを管理する命令の一以上のシーケンスを格納するコンピュータ読み取り可能な媒体であって、一以上のプロセッサにより前記一以上のシーケンスを実行することにより前記一以上のプロセッサに、
前記印刷装置のネットワークの一の印刷装置が、前記印刷装置のネットワークに関連する仮想ネットワークアドレスに信号を送信するステップと、
前記信号がアクノレッジされたとき、前記一の印刷装置がスレーブ印刷装置としての役割を引き受けるステップと、
前記信号がアクノレッジされず、前記ネットワークにおいて前記印刷装置のネットワークの一以上の印刷装置がアクティブのとき、前記複数の印刷装置のうちいずれがマスタ印刷装置の役割を引き受けるかを決定するため、前記一以上の印刷装置とネゴシエーションするステップと、
前記信号がアクノレッジされず、前記ネットワークにおいて前記印刷装置のネットワークのうち他の印刷装置がどれもアクティブでないとき、前記マスタ印刷装置としての役割を引き受けるステップと
を実行させる媒体。
【請求項２４】
同一の仮想ネットワークアドレスで構成された複数の印刷装置のうち第１の印刷装置で、前記仮想ネットワークアドレスに宛てた印刷ジョブ要求を受信する手段と、
前記第１の印刷装置により、前記印刷ジョブ要求を前記複数の印刷装置のうちの一の印刷装置に送信する手段と
を備えた印刷システム。
【請求項２５】
２以上の印刷装置のネットワークを管理する印刷システムであって、
前記印刷装置のネットワークの一の印刷装置が、前記印刷装置のネットワークに関連する仮想ネットワークアドレスに信号を送信する手段と、
前記信号がアクノレッジされたとき、前記一の印刷装置がスレーブ印刷装置としての役割を引き受ける手段と、
前記信号がアクノレッジされず、前記ネットワークにおいて前記印刷装置のネットワークの一以上の印刷装置がアクティブのとき、前記複数の印刷装置のうちいずれがマスタ印刷装置の役割を引き受けるかを決定するため、前記一以上の印刷装置とネゴシエーションする手段と、
前記信号がアクノレッジされず、前記ネットワークにおいて前記印刷装置のネットワークのうち他の印刷装置がどれもアクティブでないとき、前記マスタ印刷装置としての役割を引き受ける手段と
を備えたシステム。